(57)【要約】【課題】水切れ性を確保しながら、排水溝の数を少なくして清掃性を向上させた浴室の洗い場面構造を提供する。【解決手段】間隔をおいて平行に延びる複数の主排水溝３，３間に、それぞれ上方へ膨出した凸条面４が形成され、各凸条面４には、隣り合う一対の前記主排水溝３，３間を連通させる副排水溝５が複数形成されてなる浴室の洗い場面において、前記各凸条面４には、隣り合う前記主排水溝３，３間の幅寸法と、一対の前記副排水溝５，５間の幅寸法との比率が１：４以上で、かつ、一対の前記副排水溝５，５間の幅寸法が１６０ｍｍ以下をなす部分が少なくとも１カ所以上設けられているとともに、隣接する凸条面４，４において、一方の凸条面４に形成された前記一対の副排水溝５，５間に他方の凸条面４の副排水溝５が少なくとも１本以上存在するように構成されている。【選択図】図２
2007239307.tif 000002
【特許請求の範囲】
【請求項１】
間隔をおいて平行に延びる複数の主排水溝間に、それぞれ上方へ膨出した凸条面が形成され、各凸条面には、隣り合う一対の前記主排水溝間を連通させる副排水溝が複数形成されてなる浴室の洗い場面において、
前記各凸条面には、隣り合う前記主排水溝間の幅寸法と、一対の前記副排水溝間の幅寸法との比率が１：４以上で、かつ、一対の前記副排水溝間の幅寸法が１６０ｍｍ以下をなす部分が少なくとも１カ所以上設けられているとともに、隣接する凸条面において、一方の凸条面に形成された前記一対の副排水溝間に他方の凸条面の副排水溝が少なくとも１本以上存在するように構成したことを特徴とする浴室の洗い場面構造。
【請求項２】
前記各凸条面には、隣り合う前記主排水溝間の幅寸法と一対の前記副排水溝間の幅寸法との比率が１：１〜１：４をなす部分が少なくとも１カ所以上設けられていることを特徴とする請求項１に記載の浴室の洗い場面構造。
【発明の詳細な説明】
【技術分野】
【０００１】
本発明は、浴室の洗い場面の構造に関するものである。
【背景技術】
【０００２】
従来、水溜まりができにくく、早期に乾燥させることのできる浴室の洗い場面として、例えば特許文献１に開示されているような凸形状と凹形状の溝を組み合わせたモザイクパターンのものが存在する。
【特許文献１】特開２００３−１７６５５８号公報
【発明の開示】
【発明が解決しようとする課題】
【０００３】
上記特許文献１に開示されている洗い場面構造では、凸形状と凹形状の溝を組み合わせることで乾燥性能は向上したが、溝に付着した汚れが掃除しにくいという新たな問題が生じている。
【課題を解決するための手段】
【０００４】
本発明は上記従来の問題点に鑑み案出したものであって、汚れの付着が少なく掃除が容易となる洗い場面構造を提供するものであり、その請求項１は、間隔をおいて平行に延びる複数の主排水溝間に、それぞれ上方へ膨出した凸条面が形成され、各凸条面には、隣り合う一対の前記主排水溝間を連通させる副排水溝が複数形成されてなる浴室の洗い場面において、前記各凸条面には、隣り合う前記主排水溝間の幅寸法と、一対の前記副排水溝間の幅寸法との比率が１：４以上で、かつ、一対の前記副排水溝間の幅寸法が１６０ｍｍ以下をなす部分が少なくとも１カ所以上設けられているとともに、隣接する凸条面において、一方の凸条面に形成された前記一対の副排水溝間に他方の凸条面の副排水溝が少なくとも１本以上存在するように構成したことである。
【０００５】
また、請求項２は、前記各凸条面には、隣り合う前記主排水溝間の幅寸法と一対の前記副排水溝間の幅寸法との比率が１：１〜１：４をなす部分が少なくとも１カ所以上設けられていることである。
【発明の効果】
【０００６】
本発明は、間隔をおいて平行に延びる複数の主排水溝間に、それぞれ上方へ膨出した凸条面が形成され、各凸条面には、隣り合う一対の前記主排水溝間を連通させる副排水溝が複数形成されてなる浴室の洗い場面において、前記各凸条面には、隣り合う前記主排水溝間の幅寸法と、一対の前記副排水溝間の幅寸法との比率が１：４以上で、かつ、一対の前記副排水溝間の幅寸法が１６０ｍｍ以下をなす部分が少なくとも１カ所以上設けられているとともに、隣接する凸条面において、一方の凸条面に形成された前記一対の副排水溝間に他方の凸条面の副排水溝が少なくとも１本以上存在するように構成したことにより、主排水溝は平行に一方向を向いているため清掃性が良くなる。また、凸条面の水切れ性を確保しながら副排水溝の数を減らすことができるため、副排水溝の数が減ることで付着する汚れが少なくなり、掃除がし易いものとなる。
【０００７】
また、前記各凸条面には、隣り合う前記主排水溝間の幅寸法と一対の前記副排水溝間の幅寸法との比率が１：１〜１：４をなす部分が少なくとも１カ所以上設けられていることにより、主排水溝が排水勾配方向に直角に交わる場合でも、副排水溝を通して良好に排水することができるものとなる。
【実施例】
【０００８】
以下、本発明の実施例を図面に基づいて説明する。
図１は、浴室の洗い場面の平面構成図であり、図２は一部を拡大した平面図である。
浴室の洗い場面１の図示しない浴槽側には、中央部に排水口２が形成されており、この排水口２に向かって水勾配を形成させるために、洗い場面１には勾配折り目６ａ，６ｂが形成されており、この勾配折り目６ａ，６ｂ間はａゾーン１ａとなっており、また勾配折り目６ａの図示左側はｂゾーン１ｂとなっており、また勾配折り目６ｂの図示右側はｃゾーン１ｃとなっている。
ａゾーン１ａの排水口２に向かう水勾配は１／４５〜１／２８、即ち１．３°〜２°の勾配に設定されている。また、ｂゾーン１ｂ及びｃゾーン１ｃの水勾配は１／２９〜１／２３、即ち２°〜２．５°の水勾配に設定されている。
【０００９】
本例の洗い場面１には、排水口２が形成されている辺に向かって、平行に複数の主排水溝３，３，３が間隔をおいて、それぞれ直線状に縦方向に延びて形成されており、一対の主排水溝３と主排水溝３間には、それぞれ上方へ膨出した凸条面４が図示縦方向に形成されている。また、各凸条面４には、隣り合う一対の主排水溝３，３間を連通させる副排水溝５，５，５が主排水溝３と直交状に複数それぞれ平行に形成されている。
【００１０】
なお、図３に主排水溝３と凸条面４の断面図を示すように、一対の主排水溝３，３間の幅寸法ｄは１５ｍｍ〜３０ｍｍに設定されており、また、各主排水溝３の幅寸法ｅは３ｍｍ〜４ｍｍに設定されている。また、主排水溝３の深さｆは０．６〜１ｍｍに設定されている。
図３では、凸条面４は、曲率半径２０〜１５２ｍｍで上方へ円弧状に膨出した曲面Ｒ１で形成されており、凸条面４の頂上と主排水溝３の底間の高さｇは、１．２〜１．６５ｍｍに設定されている。また、主排水溝３は、曲率半径２〜４ｍｍで下側へ凹んだ曲面Ｒ２で形成されており、主排水溝３と凸条面４間は、曲率半径２〜１０ｍｍの曲面Ｒ３で結ばれている。
【００１１】
更に、図３に代えて図４の断面図で示すような断面形状に形成される場合もある。
即ち、図４では、主排水溝３，３間の幅寸法ｄは１５ｍｍ〜３０ｍｍに設定されており、凸条面４は、曲率半径１５〜１２０ｍｍで上方へ円弧状に膨出した曲面Ｒ１で形成されており、主排水溝３は、曲率半径２〜４ｍｍで下側へ凹んだ曲面Ｒ２で形成されており、主排水溝３と凸条面４間は、凸条面４に外接する円弧で繋がれている。なお、主排水溝３の底面と凸条面４の頂上間の高さ寸法ｇは、１．２〜１．４ｍｍに設定されている。
【００１２】
なお、図５は、副排水溝５の断面図を示すものであり、図５では、副排水溝５は曲率半径２〜４ｍｍの曲面Ｒ４で凹み状に形成されており、副排水溝５は凸条面４に向かって傾斜角αが２５〜３０°をなし、副排水溝５から凸条面４に繋がる部分は、曲率半径１．５〜３ｍｍの曲面Ｒ５で形成されている。
【００１３】
更に、副排水溝５は、図６または図７に示すような断面形状に形成しておくこともでき、図６では、副排水溝５の形状は、前記図３に示した主排水溝３と同じ形状寸法に設定したものであり、副排水溝５から凸条面４に繋がる部分は、曲率半径２０〜１５２ｍｍの曲面Ｒ５で形成されている。
【００１４】
また、図７では、副排水溝５の形状および寸法は、前記図４に断面図で示した主排水溝３と同じであり、副排水溝５と凸条面４を繋げる部分は、曲率半径１５〜１２０ｍｍの緩やかな曲面Ｒ５で形成されている。
【００１５】
なお、図３および図４に示した主排水溝３の断面形状、および図５，図６，図７に示した副排水溝５の断面形状を組み合わせて、主排水溝３および副排水溝５を形成させておくことができるものである。
一対の平行な主排水溝３，３間に形成される各凸条面４には、縦方向に間隔をおいて平行に複数の副排水溝５が形成されているが、一対の副排水溝５，５間の間隔が大な部分と小な部分、および中間的な部分が、それぞれの凸条面４に存在している。
【００１６】
即ち、図２において、隣り合う主排水溝３，３間の幅寸法ｄと、一対の副排水溝５，５間の幅寸法ｈとの比率が１：４以上で、かつ、一対の副排水溝５，５間の幅寸法ｈが１６０ｍｍ以下をなす大比率部分４ａと、比率が１：２〜１：４をなす中比率部分４ｂと、比率が１：１〜１：２をなす小比率部分４ｃがそれぞれの凸条面４に形成されており、幅寸法ｄと幅寸法ｈの比率が１：４以上で、かつ、一対の副排水溝５，５間の幅寸法ｈが１６０ｍｍ以下をなす大比率部分４ａにおいては、この大比率部分４ａを構成する一対の副排水溝５，５間に、隣接する凸条面４の副排水溝５が１本以上存在するように構成されている。
【００１７】
なお、洗い場面１全体としては、大比率部分４ａの面積比率は４０〜５５％であり、小比率部分４ｃの面積比率は５〜１５％であり、中比率部分４ｂの面積比率は３０〜５５％である。
なお、大比率部分４ａの副排水溝５，５間の幅寸法ｈを１６０ｍｍ以下としたのは、１６０ｍｍを超えると、凸条面４表面に残る排水の水切れが悪くなり、水が途切れて、凸条面４上に水が残ってしまうこととなるからである。また、ｂゾーン１ｂおよびｃゾーン１ｃでは、主排水溝３を挟んだ隣り合う副排水溝５，５間の幅寸法ｊが８０ｍｍを超えると、主排水溝３に水が停滞し、水切れが悪くなるからである。
一方、幅寸法ｄと幅寸法ｈの比率を１：１以下にした場合は、副排水溝５の本数が多くなり、その分、副排水溝５に汚れが残り、清掃性が悪くなるからである。
従って、本例では、排水の水切れ性を確保しながら、なるべく副排水溝５の溝数を少なくして、清掃性を高めるように、大比率部分４ａを各凸条面４に少なくとも１カ所以上設けて構成したものである。
【００１８】
なお、大比率部分４ａを構成する一対の副排水溝５，５間には、隣接する凸条面４に少なくとも１本は副排水溝５が形成されているため、この大比率部分４ａ上の排水は、良好な水切れ性が確保されて、隣接する凸条面４の副排水溝５を通して、途切れることなく排水口２側へ排水できるものとなる。なお、図２に示すように、大比率部分４ａを構成する副排水溝５と、隣接する凸条面４に形成されている副排水溝５間の寸法ｊは、１５ｍｍ以上が好ましい。
なお、前述した排水勾配折り目６ａ，６ｂの部分に、副排水溝５が設けられていると、水が排水口２に流れ易いものとなるため、この勾配折り目６ａ，６ｂの部分になるべく副排水溝５が配置されている。
【００１９】
なお、図８の平面図で、また図９に一部を拡大して平面図で示す洗い場面１は、副排水溝５の本数を増やした変更例であり、この図８および図９に示すような洗い場面のモザイクパターンでは、副排水溝５の本数が増やされているため、水切れ効果はより向上したものとなる。
【００２０】
このような主排水溝３と副排水溝５で形成されるモザイクパターンは、前記ａゾーン１ａと、ｂゾーン１ｂおよびｃゾーン１ｃでは異なっており、ａゾーン１ａでは大比率部分４ａが５０〜５５％の面積を占め、小比率部分４ｃは５〜１０％程度の面積となっており、また中比率部分４ｂは３５〜４５％の面積比率となっている。
一方、ｂゾーン１ｂおよびｃゾーン１ｃでは、大比率部分４ａは２５〜３０％の面積比率となっており、小比率部分４ｃは１０〜１５％の面積比率で、中比率部分４ｂは５５〜６５％の面積比率となっている。
即ち、ｂゾーン１ｂおよびｃゾーン１ｃには、大比率部分４ａが少なく、副排水溝５の本数がａゾーン１ａよりも多く形成されている。これは、ｂゾーン１ｂおよびｃゾーン１ｃでは、主排水溝３が水勾配方向に対して直角に交わるため、副排水溝５の本数を増やして、排水口２への排水性を確保しているのである。なお、ａゾーン１ａでは、主として主排水溝３を通り、排水は排水口２に流されるため、このａゾーン１ａでは副排水溝５の本数がなるべく少なくなるように設定されている。
【００２１】
なお、図１０の平面図で、また図１１の要部拡大図で示す洗い場面１は、１本の副排水溝５が、５本の主排水溝３，３，３を繋げるようなモザイクパターンに構成したものである。
更に、図１２の平面図で、また図１３の拡大図で示す洗い場面１は、副排水溝５を、それぞれ間隔をおいて平行に斜め方向に形成させたものであり、しかも１本の副排水溝５が３本の主排水溝３，３を繋げるようなモザイクパターンに構成したものである。
更に、図１４の平面図で、図１５の要部拡大図で示す洗い場面１は、斜めに形成した副排水溝５を、別の凸条面４では反対側に傾斜する方向に形成して、副排水溝５の傾斜方向を凸条面４で異なるようなモザイクパターンに構成したものである。
【００２２】
このような図８〜図１５に示すような変形モザイクパターンの洗い場面１においても、各凸条面４には、隣り合う主排水溝３，３間の幅寸法ｄと、一対の副排水溝５，５間の幅寸法ｈとの比率が１：４で、かつ、一対の副排水溝５，５間の幅寸法ｈが１６０ｍｍ以下をなす大比率部分４ａが少なくとも１カ所設けられており、この大比率部分４ａを構成する一対の副排水溝５，５間には、隣接する凸条面４に副排水溝５が少なくとも１本以上存在するように構成されており、また、各凸条面４には１：１〜１：４の比率の小比率部分４ｃが少なくとも１カ所設けられており、水切れ性を確保しながら、なるべく副排水溝５の溝数を少なくして清掃性が向上するように構成されている。
【図面の簡単な説明】
【００２３】
【図１】洗い場面の平面構成図である。
【図２】図１の要部拡大平面構成図である。
【図３】主排水溝の断面構成図である。
【図４】主排水溝の変更例を示す断面構成図である。
【図５】副排水溝の断面構成図である。
【図６】副排水溝の変更例を示す断面構成図である。
【図７】更に異なる副排水溝の変更例を示す断面構成図である。
【図８】第２実施例のモザイクパターンの洗い場面の平面構成図である。
【図９】図８の要部拡大平面構成図である。
【図１０】第３実施例の洗い場面の平面構成図である。
【図１１】図１０の要部拡大平面構成図である。
【図１２】第４実施例の洗い場面の平面構成図である。
【図１３】図１２の要部拡大平面構成図である。
【図１４】第５実施例の洗い場面の平面構成図である。
【図１５】図１４の要部拡大平面構成図である。
【符号の説明】
【００２４】
１  洗い場面
１ａ  ａゾーン
１ｂ  ｂゾーン
１ｃ  ｃゾーン
２  排水口
３  主排水溝
４  凸条面
４ａ  大比率部分
４ｂ  中比率部分
４ｃ  小比率部分
５  副排水溝
６ａ，６ｂ  勾配折り目
ｄ  一対の主排水溝間の幅寸法
ｈ  一対の副排水溝間の幅寸法
【図１】
2007239307.tif 000003
【図２】
2007239307.tif 000004
【図３】
2007239307.tif 000005
【図４】
2007239307.tif 000006
【図５】
2007239307.tif 000007
【図６】
2007239307.tif 000008
【図７】
2007239307.tif 000009
【図８】
2007239307.tif 000010
【図９】
2007239307.tif 000011
【図１０】
2007239307.tif 000012
【図１１】
2007239307.tif 000013
【図１２】
2007239307.tif 000014
【図１３】
2007239307.tif 000015
【図１４】
2007239307.tif 000016
【図１５】
2007239307.tif 000017